(57)【要約】【課題】オットマンを容易に回転させることができるマッサージ機を提供する。【解決手段】オットマン１４は、その一面側にマッサージ手段としてのエアバッグが設けられ、その反対側である他面側に使用者の脚部を載置可能な脚載部１４ｃが設けられ、左右方向に延びる回転支軸１６ａにて回転可能に支持され、オットマン１４を回転させることでマッサージ可能状態と脚載可能状態とに変更可能に構成される。足部用凹部１４ｂは、単独で回動可能に構成されるとともに、マッサージ可能状態において前部側となる足部用凹部１４ｂの先端部位を回転支軸１６ａ側に所定の付勢力で付勢する付勢部材３１が備えられる。【選択図】図１
2011067352.tif 000002
【特許請求の範囲】
【請求項１】
使用者が着座可能な座部と、該座部の前部に使用者の脚部を載置可能なオットマンとを備え、前記オットマンにマッサージ手段を設けて前記使用者の脚をマッサージするマッサージ機であって、
前記オットマンは、
一面側に前記使用者の脚部を挿入配置可能な脚部用凹部と、前記使用者の足部を足裏から支持可能な足部用凹部とを有し、前記脚部用凹部及び前記足部用凹部の少なくとも一方に前記マッサージ手段が設けられ、他面側に前記使用者の脚部を載置可能な脚載部を有し、
前記座部側に設けた支持部に対して左右方向に延びる態様で設けられる回転支軸にて回転可能に支持され、前記オットマンを回転させることで前記各凹部を前記座部前方に露出させるマッサージ可能状態と、前記脚載部を前記座部前方に露出させる脚載可能状態とに変更可能に構成され、
前記足部用凹部は、単独で回動可能に構成されるとともに、前記マッサージ可能状態において前部側となる前記足部用凹部の先端部位を前記回転支軸側に所定の付勢力で付勢する付勢手段を備えたことを特徴とするマッサージ機。
【請求項２】
請求項１に記載のマッサージ機において、
前記足部用凹部は、前記回転支軸側に引き付けられる格納位置及びそれとは反対の伸展位置との間で回動するものであり、
前記付勢手段がその２位置を共に保持すべく付勢が作用するように構成されたことを特徴とするマッサージ機。
【請求項３】
請求項１又は２に記載のマッサージ機において、
前記足部用凹部は、回動する際に前記脚載部との干渉を防ぐべく前記足部用凹部及び前記脚載部の間には間隙が設けられるものであり、
前記間隙は、可撓性を有するカバー部材にて閉塞され、
前記カバー部材は、前記付勢手段にて前記回転支軸側に前記足部用凹部を付勢した際に緊張状態となるように構成されたことを特徴とするマッサージ機。
【請求項４】
請求項１〜３のいずれか一項に記載のマッサージ機において、
前記足部用凹部には、前記使用者の足部を支持する底部に前記足部の足裏を押圧可能な足裏マッサージ手段が設けられたことを特徴とするマッサージ機。
【請求項５】
請求項１〜４のいずれか一項に記載のマッサージ機において、
前記マッサージ手段は、膨縮動作可能なエアバッグにて構成されたことを特徴とするマッサージ機。
【発明の詳細な説明】
【技術分野】
【０００１】
本発明は、使用者の脚部をマッサージ可能なマッサージ機に関するものである。
【背景技術】
【０００２】
従来、使用者が着座可能な座部の前部に傾動可能なオットマンを配設し、そのオットマンに使用者の脚部をマッサージする膨縮動作可能なエアバッグを内蔵したマッサージ機が知られている（例えば特許文献１参照）。
【０００３】
また、特許文献１のマッサージ機に備えられるオットマンでは、同文献の図３に示されるように使用者の脚部を独立して挿入配置可能な一対の脚部用凹部が設けられ、その凹部の側壁にエアバッグを内蔵させ、エアバッグの膨縮動作にて使用者の両脚それぞれを個別に挟んでマッサージすることが可能な構成とされている。
【０００４】
このようなマッサージ機では、エアバッグにて使用者の脚部を挟み込む為には比較的大きなエアバッグを脚部用凹部の側壁に配設しなければならず、前記側壁が座部の前方に大きく迫り出す形状となる。このため、エアバッグによるマッサージを行わない場合において使用者がマッサージ機（座部）に着座する場合に、脚部用凹部の側壁が障害となるが、特許文献１の図４に示されるように、オットマンを反転（回転）させて脚部用凹部を収納し、オットマンの裏面側を例えば脚載部として使用することが可能となっている。
【先行技術文献】
【特許文献】
【０００５】
【特許文献１】特許第３５０８７７１号公報
【発明の概要】
【発明が解決しようとする課題】
【０００６】
ところで、上記のようなマッサージ機のように、脚部のみのマッサージを行う脚部用凹部を有するオットマンである場合には、オットマン全体としての大きさは比較的小さいため、オットマンを反転させることは容易である。
【０００７】
しかしながら、近年のマッサージ機に備えられるオットマンでは、脚部用凹部に加え、使用者の足部を例えば足裏から支持可能な足部用凹部が前記脚部用凹部とは別体に設ける構成のものが開発されている。このため、オットマン全体として脚部用凹部のみの構成と比較して大型化を招き易く、例えばこのような構成のオットマンでは前述のようにオットマン全体を反転させることが困難となる。
【０００８】
本発明は、上記課題を解決するためになされたものであって、その目的は、オットマンを容易に回転させることが可能となるマッサージ機を提供することにある。
【課題を解決するための手段】
【０００９】
上記課題を解決するために、請求項１に記載の発明は、使用者が着座可能な座部と、該座部の前部に使用者の脚部を載置可能なオットマンとを備え、前記オットマンにマッサージ手段を設けて前記使用者の脚をマッサージするマッサージ機であって、前記オットマンは、一面側に前記使用者の脚部を挿入配置可能な脚部用凹部と、前記使用者の足部を足裏から支持可能な足部用凹部とを有し、前記脚部用凹部及び前記足部用凹部の少なくとも一方に前記マッサージ手段が設けられ、他面側に前記使用者の脚部を載置可能な脚載部を有し、前記座部側に設けた支持部に対して左右方向に延びる態様で設けられる回転支軸にて回転可能に支持され、前記オットマンを回転させることで前記各凹部を前記座部前方に露出させるマッサージ可能状態と、前記脚載部を前記座部前方に露出させる脚載可能状態とに変更可能に構成され、前記足部用凹部は、単独で回動可能に構成されるとともに、前記マッサージ可能状態において前部側となる前記足部用凹部の先端部位を前記回転支軸側に所定の付勢力で付勢する付勢手段を備えたことをその要旨とする。
【００１０】
この発明では、オットマンには、一面側に使用者の脚部を挿入配置可能な脚部用凹部と、使用者の足部を足裏から支持可能な足部用凹部とが備えられ、脚部用凹部及び足部用凹部の少なくとも一方にマッサージ手段が設けられ、他面側に使用者の脚部を載置可能な脚載部が備えられる。そしてオットマンは、座部側に設けた支持部に対して左右方向に延びる態様で設けられる回転支軸にて回転可能に支持され、オットマンを回転させることで各凹部を座部前方に露出させるマッサージ可能状態と、脚載部を座部前方に露出させる脚載可能状態とに変更可能に構成される。足部用凹部は、単独で回動可能に構成されるとともに、マッサージ可能状態において側となる足部用凹部の先端部位を回転支軸側に所定の付勢力で付勢する付勢手段を備える。このように、付勢手段により回動可能な足部用凹部の先端部位を回転支軸側に所定の付勢力で付勢することで、オットマン全体としてコンパクト化を図ることができ、オットマンを容易に回転させることが可能となる。また、前記使用者の足部を足裏から支持する足部用凹部の底部にマッサージ手段としてエアバッグを設ける構成とした際に、エアバッグを膨張動作させた場合、回動可能な足部用凹部が使用者の足裏を押圧する方向から逃げるような作用が働いて好適なマッサージ効果を得ることが困難となる。この時、本構成のように、足部用凹部を前記付勢手段にて回転支軸側に付勢されているため、前述のような逃げる作用が抑えられ、好適なマッサージ効果を得ることが可能となる。
【００１１】
請求項２に記載の発明は、請求項１に記載のマッサージ機において、前記足部用凹部は、前記回転支軸側に引き付けられる格納位置及びそれとは反対の伸展位置との間で回動するものであり、前記付勢手段がその２位置を共に保持すべく付勢が作用するように構成されたことをその要旨とする。
【００１２】
この発明では、足部用凹部は、回転支軸側に引き付けられる格納位置及びそれとは反対の伸展位置との間で回動するよう構成される。付勢手段は、前記２位置を共に保持すべく付勢が作用するように構成される。このため、足部用凹部の底部にマッサージ手段としてエアバッグを配置することで、例えば回転支軸側に足部用凹部の先端部位を付勢させた状態で足部の裏面を好適にマッサージすることが可能となる。更に、回転支軸側とは反対側の伸展位置において、足部用凹部の先端部位を付勢させ、付勢させた状態で足部用凹部に使用者の足首側面に沿うような側壁を設け、その側壁にマッサージ手段としてのエアバッグを配置させてエアバッグにより使用者の足首を挟み込む膨縮動作を行う構成とする事で、使用者の足首のマッサージを行うことが可能となる。
【００１３】
請求項３に記載の発明は、請求項１又は２に記載のマッサージ機において、前記足部用凹部は、回動する際に前記脚載部との干渉を防ぐべく前記足部用凹部及び前記脚載部の間には間隙が設けられるものであり、前記間隙は、可撓性を有するカバー部材にて閉塞され、前記カバー部材は、前記付勢手段にて前記回転支軸側に前記足部用凹部を付勢した際に緊張状態となるように構成されたことをその要旨とする。
【００１４】
この発明では、足部用凹部は、回動する際に脚載部との干渉を防ぐべく足部用凹部及び脚載部の間には間隙が設けられる。そして、間隙は、可撓性を有するカバー部材にて閉塞される。このカバー部材は、付勢手段にて回転支軸側に足部用凹部を付勢した際に緊張状態となるように構成される。このように足部用凹部を単独で回動可能に構成される本構成において、脚載部と足部用凹部との間には足部用凹部を回動させる際に干渉しないように所定の間隙が設けられる。このため、その間隙をカバー部材にて閉塞することで、間隙への異物の混入を防止することができる。更にカバー部材を可撓性を有する材質にて構成し、足部用凹部を付勢手段にて回転支軸側に付勢してカバー部材を緊張状態とすることで、カバー部材における皺の発生を抑えることができる。
【００１５】
請求項４に記載の発明は、請求項１〜３のいずれか一項に記載のマッサージ機において、前記足部用凹部には、前記使用者の足部を支持する底部に前記足部の足裏を押圧可能な足裏マッサージ手段が設けられたことをその要旨とする。
【００１６】
この発明では、足部用凹部には、使用者の足部を支持する底部に足部の足裏を押圧可能な足裏マッサージ手段が設けられる。このような構成とすることで、使用者の足裏をマッサージすることができる。
【００１７】
請求項５に記載の発明は、請求項１〜４のいずれか一項に記載のマッサージ機において、前記マッサージ手段は、膨縮動作可能なエアバッグにて構成されたことをその要旨とする。
【００１８】
この発明では、マッサージ手段が膨縮動作可能なエアバッグにて構成されるため、使用者に対し、柔軟なマッサージを行うことが可能となる。
【発明の効果】
【００１９】
本発明によれば、オットマンを容易に回転させることができるマッサージ機を提供することができる。
【図面の簡単な説明】
【００２０】
【図１】本実施形態におけるマッサージ機の概略構成図である。
【図２】オットマンの脚載可能状態について説明するための説明図である。
【図３】（ａ）（ｂ）は、付勢部材の動作説明図である。
【図４】オットマンの正面図である。
【図５】オットマンの側面図である。
【図６】（ａ）（ｂ）は、カバー部材について説明するための説明図である。
【発明を実施するための形態】
【００２１】
以下、本発明を具体化した一実施形態を図面に従って説明する。
図１は、本実施形態のマッサージ機の概略構成図を示す。マッサージ機１０の脚部１１は、図示しない床面に載置されるとともに、その上部には、使用者が着座可能な座部１２が設けられている。
【００２２】
座部１２には、その後部に背もたれ部１３、その前部にオットマン１４がそれぞれ座部１２に対して傾動可能に設けられている。また、座部１２には、座部１２の後部側から前部側に延びる一対のフレーム１５（図１では１つのみ図示）の前端に、上下方向に延びる支持枠１６の基端が接続されている。そして、この支持枠１６の先端には、座部１２の左右方向（図１において紙面直交方向）に延びる回転支軸１６ａにて前記オットマン１４が回転可能に設けられている。
【００２３】
オットマン１４は、前記支持枠１６の先端側が接続されるとともに座部１２に着座した使用者の脚部（脹脛部）を挿入配置可能な脚部用凹部１４ａと、使用者の足部を載せて支持する足部用凹部１４ｂとを有している。また、脚部用凹部１４ａ及び足部用凹部１４ｂの裏面側には使用者の脚部を載置可能な略平面状の脚載部１４ｃが設けられている。このため、本実施形態のマッサージ機１０では、オットマン１４を回転支軸１６ａ中心に回転させることで、各凹部１４ａ，１４ｂの表面側に設けられるマッサージ手段としてのエアバッグ２３，２８，２９（図４参照）を本マッサージ機１０前面側に露出させて使用者をマッサージ可能なマッサージ可能状態（図１参照）と、裏面側の脚載部１４ｃ側を本マッサージ機１０前面側に露出させて使用者の脚部を配置可能な脚載可能状態（図２参照）とに変更が可能となっている。
【００２４】
脚部用凹部１４ａは、図３（ａ）及び図４に示すように、底部２０の左右端部及び左右方向中央部から略同一方向に延出する３つの側壁２１ａ〜２１ｃが形成され、その内側面２２にはマッサージ手段としての２つのエアバッグ２３が設けられている。
【００２５】
足部用凹部１４ｂは、底部２５の左右端部及び左右方向中央部から略同一方向に延出する３つの側壁２６ａ〜２６ｃが形成され、その内側面２７にはマッサージ手段としてのエアバッグ２８が設けられている。また、足部用凹部１４ｂの底部２５には、足裏マッサージ手段としてのエアバッグ２９が設けられている。
【００２６】
足部用凹部１４ｂは、脚部用凹部１４ａに対し、回動支軸３０を中心として回動可能に支持されており、足部用凹部１４ｂの先端部位（図１において左側）が、例えば、ばね等の付勢部材３１により脚部用凹部１４ａ（回転支軸１６ａ）側に常時付勢されている。具体的には、付勢部材３１は、その一端が脚載部１４ｃの側面の固定点Ｘにて固定され、この固定点Ｘが足部用凹部１４ｂの前記先端部位の固定点Ｙよりも高い位置となるように設けられている。このため、足部用凹部１４ｂの先端部位は回動支軸３０を中心として回転支軸１６ａ側に付勢されている。
【００２７】
また、例えばオットマン１４の各凹部１４ａ，１４ｂに使用者の脚（脚部及び足部）を配置していない場合には、図５に示すように、付勢部材３１に足部用凹部１４ｂを回転支軸１６ａ側に付勢した格納位置において、足部用凹部１４ｂ側の側壁２６ａ〜２６ｃにおける脚部用凹部１４ａの側壁２１ａ〜２１ｃとの対向端面３５は、脚部用凹部１４ａの側壁２１ａ〜２１ｃの端面３６との距離が略等間隔となるように形成されている。このため、よりオットマン１４全体としての大きさを抑えることが可能となり、オットマン１４回転時において好適に回転させることが可能となっている。この時、足部用凹部１４ｂは、付勢部材３１により所定の半径を有する仮想円Ｃ内に納まるように、足部用凹部１４ｂの底部２５と脚部用凹部１４ａの底部２０との角度が略５５度程度となる位置まで付勢されている。ここで、仮想円Ｃは、例えば図示しない床面から座部１２の下面までの距離を１／２とした半径とすることで、オットマン１４の大きさを最大限にしつつ、オットマン１４を回転する際に床面及び座部１２の下面とオットマン１４とが干渉することが抑えられる。
【００２８】
尚、付勢部材３１は、前記回転支軸１６ａ側への付勢力に抗する力がこの付勢力よりも強い場合、回動支軸３０を中心として足部用凹部１４ｂの先端部位が脚部用凹部１４ａとは反対方向に回動される。そして、図３（ａ）に示すように付勢部材３１の各固定点Ｘ，Ｙ間を繋ぐ直線（図示略）が回動支軸３０の中心点ＣＰを超えた場合、付勢部材３１により回転支軸１６ａとは反対側（図３（ｂ）において足部用凹部１４ｂの先端部位を下側）に足部用凹部１４ｂが付勢されるようになっている。この時、例えば脚部用凹部１４ａの底部２０の面方向と足部用凹部１４ｂの底部２５の面方向とが略平行となる伸展位置で、足部用凹部１４ｂを固定させることで例えば脚部の長い使用者に対応することも可能となっている。また、使用者の脚部から足部の足首までかけて脚部用凹部１４ａ及び足部用凹部１４ｂのエアバッグ２３，２８にてマッサージすることが可能となっている。
【００２９】
足部用凹部１４ｂと平面状の脚載部１４ｃとの間には、図６（ａ）に示すように足部用凹部１４ｂを回動可能とさせるべく別体にて構成されているため、足部用凹部１４ｂ及び脚載部１４ｃの間には間隙Ｓが設けられている。そして、本実施形態のマッサージ機１０では、間隙Ｓを閉塞するため、図６（ａ）（ｂ）に示すように、足部用凹部１４ｂの底部２５下面側と脚載部１４ｃの長手方向一端面にはカバー部材４０が設けられている。そして、カバー部材４０は、可撓性を有するストレッチ素材にて構成されるとともに、足部用凹部１４ｂを格納位置に付勢する際に、付勢部材３１により緊張状態となるように設けられている。このように間隙Ｓを閉塞するカバー部材４０が設けられているため、間隙Ｓへの異物の混入を抑制させることが可能となっている。
【００３０】
上記のように構成されたマッサージ機１０のオットマン１４では、図示しないエアポンプが制御され、エアポンプからの給排気により各エアバッグ２３，２８，２９が適宜膨縮動作され、使用者の脚部及び足部をマッサージすることができる。また、本実施形態のマッサージ機１０では、オットマン１４の一面側にマッサージ手段としてのエアバッグ２３，２８，２９を有し、他面側に平面状の脚載部１４ｃを有し、オットマン１４が回転可能に構成されている。このため、使用者の気分によってオットマン１４をマッサージ器具として使用するのか、脚載部１４ｃとして使用するのか選択可能となっている。
【００３１】
また、オットマン１４は、足部用凹部１４ｂの先端部位を付勢部材３１により脚部用凹部１４ａ側に付勢することで、オットマン１４全体としてコンパクト化を図ることができ、オットマン１４を容易に回転させることが可能となっている。
【００３２】
次に、本実施形態の特徴的な作用効果を記載する。
（１）足部用凹部１４ｂは、単独で回動可能に構成されるとともに、マッサージ可能状態において前部側となる足部用凹部１４ｂの先端部位を回転支軸１６ａ側に所定の付勢力で付勢する付勢部材３１が備えられる。このように、付勢部材３１により回動可能な足部用凹部１４ｂの先端部位を回転支軸１６ａ側に所定の付勢力で付勢することで、オットマン１４全体としてコンパクト化を図ることができ、オットマン１４を容易に回転させることが可能となる。
【００３３】
（２）また、使用者の足部を足裏から支持する足部用凹部１４ｂの底部２５にマッサージ手段としてエアバッグ２９を設ける構成とした際に、エアバッグ２９を膨張動作させた場合、回動可能な足部用凹部１４ｂが使用者の足裏を押圧する方向から逃げるような作用が働いて、好適なマッサージ効果を得ることが困難となる。この時、本構成のように、足部用凹部１４ｂを付勢部材３１にて回転支軸１６ａ側に付勢されているため、前述のような逃げる作用が抑えられ、好適なマッサージ効果を得ることが可能となる。
【００３４】
（３）足部用凹部１４ｂは、回転支軸１６ａ側に引き付けられる格納位置及びそれとは反対の伸展位置との間で回動するよう構成される。付勢部材３１は、前記２位置を共に保持すべく付勢が作用するように構成される。このため、足部用凹部１４ｂの底部２５にマッサージ手段としてエアバッグを配置することで、例えば回転支軸１６ａ側に足部用凹部の先端部位を付勢させた状態で足部の裏面をマッサージすることが可能となる。更に、回転支軸１６ａ側とは反対側に足部用凹部１４ｂの先端部位を付勢させて、付勢させた状態で足部用凹部１４ｂに使用者の足首に沿うような側壁２６ａ〜２６ｃを設け、その側壁２６ａ〜２６ｃにマッサージ手段としてのエアバッグ２８を配置させてエアバッグ２８により使用者の足首を挟み込む膨縮動作を行う構成とする事で、使用者の足首のマッサージを行うことが可能となる。
【００３５】
（４）足部用凹部１４ｂは、回動する際に脚載部１４ｃとの干渉を防ぐべく足部用凹部１４ｂ及び脚載部１４ｃの間には間隙Ｓが設けられる。そして、間隙Ｓは、可撓性を有するカバー部材４０にて閉塞される。このカバー部材４０は、付勢部材３１にて回転支軸１６ａ側に足部用凹部１４ｂを付勢した際に緊張状態となるように構成される。このように足部用凹部１４ｂを単独で回動可能に構成される本構成において、脚載部１４ｃと足部用凹部１４ｂとの間には足部用凹部１４ｂを回動させる際に干渉しないように所定の間隙Ｓが設けられる。このため、カバー部材４０にて間隙Ｓを閉塞することで、間隙Ｓへの異物の混入を防止することができる。更にカバー部材４０を可撓性を有する材質にて構成し、足部用凹部１４ｂを付勢部材３１にて回転支軸１６ａ側に付勢してカバー部材４０を緊張状態とすることで、カバー部材における皺の発生を抑えることができる。
【００３６】
（５）マッサージ手段が膨縮動作可能なエアバッグ２３，２８，２９にて構成されるため、使用者に対し、柔軟なマッサージを行うことが可能となる。
（６）オットマン１４は、その一面側にマッサージ手段としてのエアバッグ２３，２８，２９が設けられ、その反対側である他面側に使用者の脚部を載置可能な脚載部１４ｃが設けられ、左右方向に延びる回転支軸１６ａにて回転可能に支持され、オットマン１４を回転させることでマッサージ可能状態と脚載可能状態とに変更可能に構成される。オットマン１４を回転させることでマッサージする場合にはマッサージ可能状態に変更させたり、マッサージしない場合には使用者の脚部を載置可能な脚載可能状態に変更させたりでき、使用者のその時々の気分によってオットマン１４の状態を選択できるため、オットマン１４としての利便性を向上させることができる。
【００３７】
（８）また、オットマン１４にマッサージ手段としてのエアバッグ２３，２８を配置する際に、使用者の脚部や足部の側面から挟み込むことができるように各凹部１４ａ，１４ｂの底部２０，２５から延出する側壁２１ａ〜２１ｃ，２６ａ〜２６ｃを形成する必要があるため、従来のマッサージ機ではマッサージ可能状態において使用者が脚部のマッサージを求めない場合には、使用者が着座する際に凹部１４ａ，１４ｂの側壁２１ａ〜２１ｃ，２６ａ〜２６ｃが障害となる。このため、本構成のように脚載部１４ｃ側に凹部を成形せずに平面状に成形することで、使用者の着座時において着座を容易とすることが可能となり、オットマン１４の利便性を向上させることができる。
【００３８】
尚、本発明の実施形態は、以下のように変更してもよい。
・上記実施形態では、カバー部材４０をストレッチ素材などの可撓性を有する材質にて構成したが、これに限らず、その他の材質にてカバー部材を構成してもよく、またカバー部材を省略した構成を採用してもよい。
【００３９】
・上記実施形態では、足部用凹部１４ｂの底部２５に足裏マッサージ手段としてのエアバッグ２９を設ける構成としたが、エアバッグ２９を省略した構成を採用してもよい。
・上記実施形態では、脚部用凹部１４ａ及び足部用凹部１４ｂの両方にマッサージ手段としてのエアバッグ２３，２８，２９を設ける構成としたが、脚部用凹部１４ａ及び足部用凹部１４ｂのいずれか一方のみにマッサージ手段（エアバッグ）を設ける構成を採用してもよい。
【００４０】
・上記実施形態では、特に言及していないが、例えば背もたれ部１３に施療子にて使用者の上半身をマッサージするマッサージ機構を配設した構成を採用してもよい。
・上記実施形態では、背もたれ部１３を座部１２に対して傾動可能に設けたが、これに限らず、背もたれ部１３を傾動不能、つまり固定した構成であってもよい。また、背もたれ部１３を省略した構成であってもよい。
【符号の説明】
【００４１】
１０…マッサージ機、１１…脚部、１２…座部、１４…オットマン、１４ａ…脚部用凹部、１４ｂ…足部用凹部、１４ｃ…脚載部、１６…支持枠（支持部）、１６ａ…回転支軸、２０，２５…底部、２３，２８，２９…エアバッグ（マッサージ手段）、３１…付勢部材（付勢手段）、４０…カバー部材、Ｓ…間隙。
【図１】
2011067352.tif 000003
【図２】
2011067352.tif 000004
【図３】
2011067352.tif 000005
【図４】
2011067352.tif 000006
【図５】
2011067352.tif 000007
【図６】
2011067352.tif 000008